(57)【要約】【課題】安価に大空間を加湿できる、加湿システムを提供する。【解決手段】ノズルに水を供給し、前記ノズルから水を噴霧することにより、空間の加湿を行う加湿システムにおいて、前記ノズルは一流体ノズルであり、前記ノズルへは、予めタンクに貯留した状態で加圧された水を供給し、前記ノズルから噴霧する水は、前記ノズルの後方に配置したファンにより空気中を搬送することを特徴とする、加湿システム。【選択図】図１
0003162072.tif 000002
【実用新案登録請求の範囲】
【請求項１】
ノズルに水を供給し、前記ノズルから水を噴霧することにより、空間の加湿を行う加湿システムにおいて、
前記ノズルは一流体ノズルであり、
前記ノズルへは、予めタンクに貯留した状態で加圧された水を供給し、
前記ノズルから噴霧する水は、前記ノズルの後方に配置したファンにより空気中を搬送することを特徴とする、
加湿システム。
【考案の詳細な説明】
【技術分野】
【０００１】
本考案は工場等の大空間の加湿を行う、加湿システムに関する。
【背景技術】
【０００２】
空間を加湿する方法としては、気化式、蒸気式、水噴霧式等の加湿方法が知られている。
このうち、水噴霧式加湿は、ノズルに水を供給し、ノズルにより水を微細な水粒子にしながら空気中に噴霧し、加湿を行うものである。
水噴霧式加湿は、気化式と比べて制御性がよく、また、蒸気式にように蒸気による温度上昇がないため、工場などで利用されている。
【０００３】
水噴霧式加湿は、噴霧する水が気化しやすいように、微細な水粒子として空気中に噴霧する必要がある。
このため、水噴霧式加湿においては、
（ｉ）水を高圧にして微細なノズルから噴霧する一流体ノズル
（ｉｉ）高圧空気により水を粒子化しながら噴霧する二流体ノズル
の二種類のノズルを用いた加湿が行われている。
【考案の概要】
【考案が解決しようとする課題】
【０００４】
従来の水噴霧式加湿には以下のような問題点があった。
（１）一流体ノズルにおいては、水を高圧にするための高圧ポンプ（４０〜７０ｋｇｆ／ｃｍ２）や高圧配管工事が必要となるため、設備コストが高い。
（２）二流体ノズルにおいては、噴霧する際に高圧空気を連続使用するため、容量の大きなコンプレッサー設備が必要となり、設備コストが高い。
（３）二流体ノズルは一流体ノズルに比べて高価であるため、設備コストが高い。
（４）一流体ノズルの際に使用する高圧ポンプや、二流体ノズルの際に使用する大規模なコンプレッサー設備は、使用電力量が大きく、ランニングコストが高い。
【０００５】
本考案は、安価に大空間を加湿できる、加湿システムを提供することを目的とする。
【課題を解決するための手段】
【０００６】
上記の目的を達成するために、本願の第一考案は、ノズルから水を噴霧することにより、空間の加湿を行う加湿システムにおいて、前記ノズルは一流体ノズルであり、前記ノズルへは、予めタンクに貯留した状態で加圧された水を供給し、前記ノズルから噴霧する水は、前記ノズルの後方に配置したファンにより空気中を搬送することを特徴とする、加湿システムを提供する。
【考案の効果】
【０００７】
本考案は、上記した課題を解決するための手段により、次のような効果の少なくとも一つを得ることができる。
（１）噴霧した水をファンにより空気中を搬送することにより、ファンによる送風や大気との接触により水が気化することとなるため、噴霧する水粒子が大きくても良い。
（２）噴霧する水粒子が大きくても良いため、二流体ノズルによる噴霧が不要であり、コンプレッサー設備の容量を小さくでき、設備コストが低く、かつ、ランニングコストも低くすることができる。
（３）噴霧する水粒子が大きくても良いため、低圧による噴霧が可能であり、高圧ポンプによる加圧が不要となり、設備コストが低く、かつ、ランニングコストも低くすることができる。
（４）タンクに貯留した水をあらかじめ加圧してノズルに供給するため、コンプレッサーを連続使用する必要がなく、ランニングコストを低くすることができる。
【図面の簡単な説明】
【０００８】
【図１】本考案の加湿システムの説明図
【図２】加湿機の説明図
【図３】ノズルによる噴霧の説明図
【図４】水粒子の気化状態の説明図
【図５ａ】加湿システムの動作説明図
【図５ｂ】加湿システムの動作説明図
【図６】加湿機の配置図
【考案を実施するための形態】
【０００９】
以下、図面を参照しながら本発明の実施の形態について説明する。
【実施例】
【００１０】
＜１＞本考案の全体の構成
本考案の加湿システムは、ノズル１１とファン１２を有する加湿機１と、水を貯留する加圧水タンク２と、からなり、ノズル１１に加圧水タンク２から水を供給し、ノズル１１から噴霧した水粒子をファン１２により空気中を搬送することにより、工場等の大空間の加湿を行うものである。（図１）
【００１１】
＜２＞加湿機
加湿機１は、ノズル１１、ファン１２及びそれらを取り付ける略円筒形の本体１３と、からなる。（図２）
【００１２】
＜２−１＞ノズル
ノズル１１は、供給された水を粒子状で噴霧するものである。
ノズル１１は、加圧水タンク２により加圧された高圧な水を噴霧する一流体ノズルである。一流体ノズルは二流体ノズルよりも安価である。
本考案の加湿システムは、水粒子をファン１２により搬送して気化するため、水粒子の平均粒子径を、従来の水噴霧加湿（一流体ノズル：２５〜３０μｍ、二流体ノズル：１０〜１５μｍ）より大きな、５０μｍ以上で噴霧する。
ノズル１１は、略円筒形の本体１３の内周に沿って、所定の間隔を設けて複数個設置する。また、ノズル１１は、本体１３の一方の端部方向に水粒子を噴霧するよう噴出口を向けて設置する。
ノズル１１は大きな水粒子を噴霧する。このため、ファン１２の送風や大気との接触により水粒子を気化する他、水粒子が落下する際の大気との接触による気化を行うため、ノズル１１を設ける加湿機１は３〜５ｍの高さに設置する。
【００１３】
＜２−２＞ファン
ファン１２は、ノズル１１から噴霧された水粒子を大気中に搬送するためのものである。
ファン１２は、本体１３の内部に設け、本体１３の一方の端部から他方の端部方向に風を発生させ、大気中に風を送り込む。
ノズル１１から噴霧する水粒子の平均粒子径は５０μｍ以上であるため、噴霧した水粒子は下方に落下しようとする。
このため、ファン１２をノズル１１の噴出口の後方に設けることにより、ノズル１１から噴霧する水粒子を、ファン１２からの送風により気化しながら、大気中を水平方向に飛翔させて搬送する。
ノズル１１は複数個設けるため、ファン１２は大型の送風機とする。
このため、ノズル１１は水平方向よりやや本体１３の内側に向けて噴霧するように取り付ける。
ノズル１１は一流体ノズルであるため、二流体ノズル（２０〜３０°）に比べて噴霧角度が５０〜１２０°と大きい。（図３）
噴霧角度が広い一流体ノズルから噴霧する水粒子を、大型のファン１２により搬送するため、水粒子の拡散範囲が広くなり、広範囲の空間を均一に加湿することができる。
【００１４】
＜２−３＞本体
本体１３は、ノズル１１及びファン１２を一体に配置するためのものである。
本体１３は略円筒状に形成し、内部にノズル１１及びファン１２を設ける。
本体１３はファン１２による風の向きを調整する役割を有するが、本体１３の送風の吹き出し側の端部は、外側に向けて縮径して形成する。
このように構成することにより、本体１３内部の下側に設けられたノズル１１から噴霧する水粒子は水平方向よりやや上向きに吹き出すため、落下距離が長くなり、落下途中に気化される。
【００１５】
＜３＞加圧水タンク
加圧水タンク２は、加湿機１のノズル１１に供給する水を貯留して予め加圧しておくものである。
加圧水タンク２は２台を並列して設け、それぞれの加圧水タンクには水道水を導入する。
加圧水タンク２には、バルブ３を有する高圧配管４の一端を連結する。そして、高圧配管４の他方は複数に分岐し、分岐した高圧配管４を各々ノズル１１に連結する。
また、加圧水タンク２にはコンプレッサー設備５を接続し、コンプレッサー設備５から供給される高圧空気によりタンク内部を加圧する。
【００１６】
従来、一流体ノズルによる水加湿の場合には、噴霧する水粒子の平均粒子径が２５〜３０μｍであるため、水を４０〜７０ｋｇｆ／ｃｍ２に加圧する必要がある。
一方、本考案の加湿システムは、ノズル１１から噴霧する水粒子の平均粒子径は５０μｍ以上であるため、水は４ｋｇｆ／ｃｍ２に加圧するだけでよい。
このため、加圧水タンク２内で予め４ｋｇｆ／ｃｍ２加圧した状態で貯留し、貯留した水をそのままノズル１１に供給する形態とすることができ、水を高圧にするための高圧ポンプが不要である。
【００１７】
［作用］
次に、上記した構成による、本考案の加湿システムについて説明する。
＜１＞タンクによる加圧
高圧配管４のバルブ３ａ、３ｂを閉止した状態で加圧水タンク２ａ、２ｂに水を貯留し、コンプレッサー設備５から高圧空気を加圧水タンク２ａ、２ｂに供給し、タンクに貯留した水を４ｋｇｆ／ｃｍ２に加圧する。
そして、バルブ３ａを開くことにより加圧水タンク２ａ内で加圧した水を高圧配管４を経由して、加湿機１のノズル１１に供給する。（図５ａ）
このとき、もう一台の加圧水タンク２ｂ側のバルブ３ｂは閉止する。
【００１８】
＜２＞噴霧、搬送
加湿機１のノズル１１に供給された水は、平均粒子径が５０μｍ以上の粒子状でノズル１１から噴霧する。
噴霧した水粒子は、加湿機１の内部に設けたファン１２により、本体１３によって調整される送風方向に搬送される。
ファン１２の送風により搬送された水粒子は、通常の水噴霧加湿よりも径が大きいが、ファン１２の送風による気化と、大気による気化とにより気化される。
本考案の加湿システムは工場等の大空間を加湿するものであるため、加湿機１の設置高さを高くし、水粒子の落下距離（３．５〜５ｍ）かつ搬送距離（８〜１０ｍ）を長く設定することができるため、大径な水粒子でノズル１１から噴霧することが可能となる。（図６）
本考案の加湿システムは、大径な水粒子を搬送するため、水粒子が大気中の粉塵を吸着し、加湿と共に大気の清浄度を上げることもできる。
ファン１２の風量を大きくし、搬送距離を長くすることにより、広範囲の空間を均一に加湿・清浄し、平準化することができる。
【００１９】
＜３＞再加圧
バルブ３ａを開いている間、加圧水タンク２ａから加湿機１のノズル１１へ水が連続して供給される。
この間はコンプレッサー設備５の運転は不要であるため、コンプレッサー設備５のエアタンク容量を小さくすることができ、設備コストを低くすることができる。また、コンプレッサー設備５が連続運転しないため、ランニングコストも低くできる。
加圧水タンク２ａ内の水量が所定量よりも低下したら、バルブ３ａを閉止し、バルブ３ｂを開き、加圧水タンク２ｂから加湿機１のノズル１１へ水を供給するように切り換えて、加湿を行う。
その間、加圧水タンク２ａに給水及び加圧を行う。（図５ｂ）
加圧水タンク２ａ、２ｂを交互に使用することにより、連続して加湿を行うことができる。
【符号の説明】
【００２０】
１      加湿機
１１    ノズル
１２    ファン
１３    本体
２      加圧水タンク
３      バルブ
４      高圧配管
５      コンプレッサー設備
【図１】
0003162072.tif 000003
【図２】
0003162072.tif 000004
【図３】
0003162072.tif 000005
【図４】
0003162072.tif 000006
【図５ａ】
0003162072.tif 000007
【図５ｂ】
0003162072.tif 000008
【図６】
0003162072.tif 000009